(57)【要約】【課題】噴出体を首振り運動させて自転及び公転させる流体噴出装置において、この噴出体とこれを収納する流入室との間隙から飛沫が飛散することを防止する流体噴出装置を提供する。【解決手段】開口を備え、流体が流入する流入室と、上記流入室内に組み込まれ、流体の噴出口と上記流入室の流体を該噴出口へと導く管路とを有し、上記噴出口を上記開口から外部に臨ませて、且つ上記噴出口近傍を上記流入室内壁に当接させた状態で、この当接部分を頂点として上記開口の中心軸に対して傾斜角度αで傾斜して首振り状に回転する首振り公転運動と、上記噴出体の中心軸周りに回転する自転運動が可能に上記流入室に組み込まれた噴出体と、上記管路先端に接続され、上記管路を上記噴出体の自転により流体が円錐状に拡大して噴出されるように、上記噴出体中心軸に対して傾斜角度βで傾斜した傾斜管路として備える噴出体キャップと、上記開口の周縁から上記噴出体キャップを囲繞するように延出した保護部とを備える。【選択図】  図３
2007054737.tif 000002
【特許請求の範囲】
【請求項１】
開口を備え、流体が流入する流入室と、
上記流入室内に組み込まれ、流体の噴出口と上記流入室の流体を該噴出口へと導く管路とを有し、上記噴出口を上記開口から外部に臨ませて、且つ上記噴出口近傍を上記流入室内壁に当接させた状態で、この当接部分を頂点として上記開口の中心軸に対して傾斜角度αで傾斜して首振り状に回転する首振り公転運動と、上記噴出体の中心軸周りに回転する自転運動が可能に上記流入室に組み込まれた噴出体と、
上記管路先端に接続され、上記管路を上記噴出体の自転により流体が円錐状に拡大して噴出されるように、上記噴出体中心軸に対して傾斜角度βで傾斜した傾斜管路として備える噴出体キャップと、
上記開口の周縁から上記噴出体キャップを囲繞するように延出した保護部と、
を備えることを特徴とする流体噴出装置。
【請求項２】
前記保護部は、前記噴出体キャップが前記管路に接続する接続部から前記傾斜管路先端までのいずれかの高さまで延出することを特徴とする請求項１記載の流体噴出装置。
【請求項３】
前記保護部は、その先端が前記噴出体キャップ側に狭窄していることを特徴とする請求項１記載の流体噴出装置。
【請求項４】
前記保護部は、その内壁が傾斜角度αで公転する前記噴出体キャップの傾斜した側面から一定のマージンをもって大きく形成されることを特徴とする請求項１記載の流体噴出装置。
【請求項５】
前記保護部は、前記噴出体キャップの傾斜角度αで傾斜した側面から一定のマージンをもって平行に形成されることを特徴とする請求項４記載の流体噴出装置。
【請求項６】
給水された洗浄水を人体に向けて吐水する吐水装置であって、
請求項１ないし請求項５のいずれかに記載の前記流体噴出装置を備える噴出部を有し、前記噴出口から人体に向けて洗浄水を吐水する吐水装置。
【請求項７】
給水された洗浄水を人体に向けて吐水するシャワーヘッドを備え、該シャワーヘッドに前記噴出部を備えて、前記噴出口より洗浄水を人体に向けて洗浄水を吐水する請求項６記載の吐水装置。
【発明の詳細な説明】
【技術分野】
【０００１】
本発明は、シャワーヘッド（や人体局部洗浄装置）に用いられる流体噴出装置に係り、特に流れによって回転しながら流体を噴出するノズルを備えた流体噴出装置に関する。
【背景技術】
【０００２】
従来、人体の局部を洗浄する装置、或いは足指や足裏に吐水を浴びせて洗浄又はマッサージを行う足浴器等において、洗浄水等の流体をその目的物に対して噴出する流体噴出装置が用いられている。
【０００３】
この流体噴出装置の一例として、給水された洗浄水を吐水するノズルを先端に備え、このノズルは、洗浄水が流入する流入室と、該流入室に組み込まれ、洗浄水の吐水口を備えた吐水部位と該吐水部位に連続し前記流入室内に位置する室内部位とを有する吐水体であって、前記流入室内の洗浄水を前記吐水口に導く管路を有する前記吐水体を、前記流入室の外部に臨ませた状態で、前記室内部位が前記流入室内で傾斜した姿勢で首振り可能に前記流入室に組み込んで備え、前記流入室に洗浄水が流入したことで前記流入室に生じる力を前記吐水体の前記室内部位に及ぼし、前記室内部位が前記流入室内で傾斜した姿勢で前記吐水体を首振り運動させて公転及び／又は自転させるものがある（例えば、特許文献１，２参照。）。
【０００４】
この流体噴出装置によれば、より強い水流で洗浄したり、より広い範囲を洗浄したりする場合に、より少ない流量と水圧で使用者が快適に洗浄を行なうことができ、また、揺動のための特別な電気的駆動装置を用いる必要がないので、コンパクトとなり且つ振動や騒音が発生しないのみならず、省エネにも貢献することができる。
【０００５】
また、この流体噴出装置の他の例として、流体が流入する流入室と、前記流入室に組み込まれ、前記噴出口を備えた先端部位と、前記流入室に位置して、前記流入室内に流入した流体の力を受ける室内部位と、前記流入室内の流体を前記噴出口に導く管路とを有し、前記流入室内で回転可能とされた噴出部と、前記室内部位に連結されて回転する回転子と、該回転子の周囲に固定して設けられた固定子とを有し、該回転子及び該固定子のいずれかを磁石で構成し、他方を電機子で構成した発電部と、前記電機子に電気的に接続された閉回路とによって構成され、前記流入室内に流入した流体の力を前記室内部位に及ぼして、前記噴出部を公転及び／又は自転させるものがある（例えば、特許文献３参照。）。
【０００６】
この流体噴出装置によれば、前記発電部に用いる磁石と電機子にさまざまな組合せを用いることにより、前記噴出部および噴出する流体の回転を自由に設定でき、噴出する流体の流量や勢いを変えずに、噴出流体の回転数のみを変更することができる。この組合せとしては、例えば、磁石と電機子の配置・距離・個数といった相対的なものや、磁石の種類・磁束の強さ・磁極の数であったり、電機子を構成するコイルの巻数・巻き線の太さであったり、コイルに挿入する鉄心の材質・形状といったものが考えられる。
【０００７】
さらに、上述した特許文献２に記載の流体噴出装置を発展させて、開口を備え、流体が流入する流入室と、前記流入室内に組み込まれ流体の噴出口と前記流入室の流体を該噴出口へと導く管路とを有する噴出体とを備え、前記噴出体は、前記噴出口を前記開口から外部に臨ませて、且つ前記噴出口近傍を前記流入室内壁に当接させた状態で、この当接部分を頂点として前記開口の中心軸に対して傾斜角度αで傾斜して首振り状に回転する首振り公転運動と、前記噴出体の中心軸周りに回転する自転運動が可能に前記流入室に組み込まれ、前記管路を、前記噴出体の自転により洗浄水が円錐状に拡大して噴出されるように、前記噴出体中心軸に対して傾斜角度βで傾斜した傾斜管路として備え、前記傾斜角度αと前記傾斜角度βを、前記噴出体が前記首振り公転運動する際の公転速度と前記噴出体が前記自転運動する際の自転速度の大小関係に応じて設定したものがある（例えば、特許文献４参照。）。
【０００８】
この流体噴出装置によれば、噴出体の公転速度と自転速度を大小設定した上で、傾斜角度αと傾斜角度βを設定することができるので、首振り公転運動の公転軸の周りに流体が到達しないように、いわゆる中抜き吐水もできる。このように、洗浄水の吐水を浴びる被着箇所が離れると、こうした離れた箇所で刺激を受ける人は、あたかも揉まれているようなマッサージ感を得ることができると云われている。したがって、この流体噴出装置を足浴装置に採用して、足指やその指間、或いは足の裏に吐水を浴びせれば、上述したマッサージ効果が発揮され高いマッサージ効果を得ることができる。
【特許文献１】特開２００２−２７５９９５号公報
【特許文献２】特開２００３−２３２０６８号公報
【特許文献３】特開２００３−２７５６２７号公報
【特許文献４】特開２００５−１１８７６１号公報
【発明の開示】
【発明が解決しようとする課題】
【０００９】
とすれば、この高いマッサージ効果を、足浴のみならず全身に対しても得られるように、シャワーヘッドにも採用したい。しかしながら、この流体噴出装置では、噴出体を自転させる関係上、流入室とこの噴出口とを密着させることができず、その間隙からどうしても飛沫が飛散するという問題がある。特に噴出体は、流入室の開口周りを公転するので、この公転に伴って噴射体と流入室との間隙も回転し、飛沫は四方八方に飛散する。
【００１０】
さりとて、自転をさせなければ、噴出範囲が狭くなり、また、公転だけでは回転速度が大き過ぎて、使用者は回転していることを感じる事ができず、高いマッサージ効果を得ることができない。
【００１１】
足浴装置のように、流体噴出装置が下肢を覆う本体内に収まっていれば、飛沫も本体から飛び出すこともなく、使用に際して特に支障はないが、シャワーのように流体噴出装置が露出する場合では、使用者が所望する部位意外まで水に濡れてしまい不都合が生じることがあるばかりか、見た目もよくない。
【００１２】
一方、このような噴出体の先端は、流入室上端から突出しているので、足浴器本体内に収納されていればともかく、シャワーヘッドに採用した場合は、何かにぶつかって損傷する虞がある。
【００１３】
本発明は、上述した事情を考慮してなされたもので、噴出体を首振り運動させて自転及び公転させる流体噴出装置において、この噴出体とこれを収納する流入室との間隙から飛沫が飛散することを防止する流体噴出装置を提供することを目的とするものである。
【００１４】
本発明の他の目的は、噴出体を首振り運動させて自転及び公転させる流体噴出装置において、噴出体を収納する流入室から突出する噴出体を損傷から保護する流体噴出装置を提供することにある。
【課題を解決するための手段】
【００１５】
本発明に係る流体噴出装置は、上述した課題を解決するために、請求項１に記載したように、開口を備え、流体が流入する流入室と、上記流入室内に組み込まれ、流体の噴出口と上記流入室の流体を該噴出口へと導く管路とを有し、上記噴出口を上記開口から外部に臨ませて、且つ上記噴出口近傍を上記流入室内壁に当接させた状態で、この当接部分を頂点として上記開口の中心軸に対して傾斜角度αで傾斜して首振り状に回転する首振り公転運動と、上記噴出体の中心軸周りに回転する自転運動が可能に上記流入室に組み込まれた噴出体と、上記管路先端に接続され、上記管路を上記噴出体の自転により流体が円錐状に拡大して噴出されるように、上記噴出体中心軸に対して傾斜角度βで傾斜した傾斜管路として備える噴出体キャップと、上記開口の周縁から上記噴出体キャップを囲繞するように延出した保護部とを備えるものである。
【００１６】
前記保護部は、好適には、請求項２に記載したように、前記噴出体キャップが前記管路に接続する接続部から前記傾斜管路先端までのいずれかの高さまで延出することが望ましく、また、請求項３に記載したように、その先端が前記噴出体キャップ側に狭窄させてもよい。
【００１７】
前記保護部は、また好適には、請求項４に記載したように、その内壁が傾斜角度αで公転する前記噴出体キャップの傾斜した側面から一定のマージンをもって大きく形成することができ、より好適には、請求項５に記載したように、前記噴出体キャップの傾斜角度αで傾斜した側面から一定のマージンをもって平行に形成することも可能である。
【００１８】
他方、上述した課題を解決するために、請求項６に係る吐水装置は、給水された洗浄水を人体に向けて吐水する吐水装置であって、請求項１ないし請求項５のいずれかに記載の前記流体噴出装置を備える噴出部を有し、前記噴出口から人体に向けて洗浄水を吐水するものである。
【００１９】
前記吐水装置は、好適には、請求項７に記載したように、給水された洗浄水を人体に向けて吐水するシャワーヘッドを備え、該シャワーヘッドに前記噴出部を備えて、前記噴出口より洗浄水を人体に向けて洗浄水を吐水する物とすることができる。
【発明の効果】
【００２０】
本発明に係る流体噴出装置によれば、噴出体を首振り運動させて自転及び公転させる流体噴出装置において、この噴出体とこれを収納する流入室との間隙から飛沫が飛散することを防止することができる。
【００２１】
本発明は、噴出体を首振り運動させて自転及び公転させる流体噴出装置において、噴出体を収納する流入室から突出する噴出体を損傷から保護することができる効果が得られる。
【発明を実施するための最良の形態】
【００２２】
本発明に係る流体噴出装置の実施の形態について、添付図面を参照して説明する。図１及び図２に示すように、流体噴出装置１０は、本体１１に、流体が流入する流入室として円筒状に形成された旋回室１２を形成し、この旋回室１２に、流入路１４を経て元流路１６から流体を導き入れる。旋回室１２は、本体１１に、頂部に噴出体係止パーツ３５が嵌合・装着された旋回室形成パーツ１８を嵌合・装着することで、これら噴出体係止パーツ３５、旋回室形成パーツ１８及び本体１１で形成され、噴出体係止パーツ３５の天井には、開口１９が設けられる。
【００２３】
流入路１４は、元流路１６より通路断面積が小さく構成されており、旋回室１２の中心に対して偏心して旋回室１２に接続されている。このため、流入路１４から、流体は旋回室１２に対してその接線方向から流入し、旋回室１２内壁に沿って旋回する旋回流を生成する。この場合、流入路１４の通路断面積は元流路１６より小さいことから、旋回室１２に流入する流体の流速を高めることができる。
【００２４】
流体噴出装置１０は、この旋回室１２内に噴出体２０を組み込んで備える。噴出体２０は、図７に示すように、旋回室１２の内部に位置する円柱状の噴出体本体２２を備え、その先端の小径部に装着体である噴出体キャップ２４を嵌合・装着させている。そして、噴出体２０は、噴出体本体２２と噴出体キャップ２４を、旋回室１２の開口１９を挟んで上下に位置させる。
【００２５】
この噴出体２０は、旋回室１２内の流体を噴出体キャップ２４の噴出口２６へと導くための管路として、噴出体本体２２には、これを十字状に貫通する導入管路２８と、当該管路から本体上端に掛けて噴出体軸方向に延びた軸方向管路３０とを備える。また、噴出体キャップ２４には、軸方向管路３０と連通しキャップ端部の噴出口２６に到る傾斜管路３２を有する。従って、噴出体２０は、旋回室１２に流入した流体を、導入管路２８、軸方向管路３０を経て傾斜管路３２に導き入れ、この傾斜管路３２における噴出口２６から流体を噴出する。この傾斜管路３２は、噴出体キャップ２４が噴出体本体２２に装着された状態で、噴出体本体２２上端の軸方向管路３０から噴出口２６に至って傾斜した管路である。傾斜管路３２は、後述する噴出体２０の自転により洗浄水が円錐状に拡大して噴出されるように、噴出体中心軸ＦＪに対して傾斜角度βで傾斜しており、噴出口２６より噴出される流体の噴出方向を決定する。
【００２６】
噴出体２０は、その先端に装着された噴出体キャップ２４の下端側に、テーパ状の段差部２３を備え、この段差部２３を旋回室１２の開口１９の下方に位置させ、傾斜管路３２および噴出口２６を有する噴出体キャップ２４を開口１９の外側に位置させる。これにより、噴出体２０は、噴出体キャップ２４の噴出口２６を開口１９から外部に臨ませて、この開口１９においてフリーな状態でつり下げ支持されていることになる。よって、噴出体２０は、旋回室１２への流体流入で旋回室内の流体圧が上昇すると、噴出口２６の近傍に当たる段差部２３を旋回室１２の開口１９の旋回室１２側の内壁に内接させる。
【００２７】
こうして旋回室１２に組み込まれた噴出体２０は、既述したフリーのつり下げ状態であるので、段差部２３を旋回室１２の内壁（詳しくは、開口１９の下端周縁）に当接させた状態で、この当接部分を頂点として開口１９の中心軸（公転軸ＫＪ）に対して傾斜して首振り状に回転する首振り公転運動を起こし得る。この首振り公転運動の傾斜角度については後述する。また、噴出体２０は、噴出体中心軸ＦＪ周りに回転する自転運動も起こし得る。なお、噴出体本体２２は、旋回室１２内に位置して上記の旋回流から後述の種々の力を受け、開口１９の開口回りにおける段差部２３を接点とした噴出体２０の円錐状の首振り公転駆動等に関与するが、これについては、後述する。
【００２８】
旋回室形成パーツ１８は、本体１１に装着されることで旋回室１２の側面及び底面を形成し、噴出体係止パーツ３５は、旋回室形成パーツ１８頂部に装着されることで、旋回室１２上部において噴出体２０の噴出体本体２２を取り囲むガイド部３４を形成する。このガイド部３４は、旋回室１２の内径より小径とされ、図３に示すように、噴出体本体２２の周壁に接触して、この噴出体本体２２、延いては噴出体２０が首振り公転する際の最大傾斜角度（傾斜角度α）を規定する。
【００２９】
また、噴出体係止パーツ３５は、開口部１９の周縁から上方へ、噴出体キャップ２４を囲繞するように、保護部３６が延出し、開口部１９から漏出した飛沫が四方へ飛散することを防止するとともに、噴出体キャップ２４が障害物に接触して損傷を受けることを防止する。この保護部３６は、飛沫が四方へ飛散することを防止するためには、噴出体本体２２より径の大きい噴出体キャップ２４の少なくとも下端より上方まで延出させる必要があり、噴出体キャップ２４保護のためには、噴出体キャップ２４上端まで延出していることが望ましい。
【００３０】
そして、保護部３６の内壁は、傾斜角度αで公転する噴出体キャップ２４の傾斜した側面から一定のマージンをもって大きく形成される。このとき、噴出体キャップ２４の傾斜角度αで傾斜した側面から一定のマージンをもって平行に形成されると、保護部３６の内壁と噴出体キャップ２４との間隙も小さくなり、飛沫飛散防止に最も効果的である。また、保護部３６の先端を、噴出体キャップ２４側に狭窄させて、両者間の間隙を小さくすれば、飛沫飛散防止に更に効果的である。
【００３１】
次に、上記した構成を有する流体噴出装置１０における構成部品の駆動の様子とこれに伴う流体噴出の様子を説明する。流体噴出装置１０に流体が供給されていない状況では、噴出体２０は図１に示すように正立姿勢にあると仮定できる。そして、この流体噴出装置１０に流体が供給されると、流体は、旋回室１２で噴出体本体２２周りの旋回流を確実に起こす。この旋回流にあっては、旋回室１２への流入部である流入路１４の近辺と、噴出体本体２２を挟んだその反対側とで、噴出体本体２２周りの流速差を確実に引き起こすことができる。従って、噴出体本体２２に、この流速差に基づいて力を生じさせることができ、この力によって、図３に示すように、旋回室１２内で噴出体本体２２を旋回室１２中心軸に対して傾斜させ、噴出体本体２２、延いては噴出体２０を回転（首振り公転運動）させることができる。
【００３２】
また、この傾斜や回転と同時に噴出体２０は、旋回室１２内の流体の圧力を受けて、上方へと移動するので、噴出体２０は段差部２３の一部を開口１９の内壁に内接させながら回転を行う。
【００３３】
ここで、噴出体本体２２を傾斜させようとする力は、飛行機の翼周りの速度差により発生する揚力と同質のものであり、この力により噴出体本体２２は傾斜する。また、噴出体本体２２が傾斜し始めると、傾斜した側では、噴出体本体２２と旋回室１２の内壁との間隔が狭くなるので、旋回流の速度がさらに増加し、前述した速度差は大きくなり、さらに大きな力が発生して、より傾斜しようとする。また、噴出体本体２２が傾斜することで、噴出体本体２２の側面にも旋回流の流れを受けて、噴出体本体２２が旋回流の流れ方向に回転する。また、噴出体本体２２は、旋回室１２の中心軸に対して傾斜した姿勢で、公転軸ＫＪ周りに公転（首振り公転）可能としていることから、噴出体２０は、噴出体本体２２が、旋回室１２の中心軸に対して傾斜した姿勢で、公転軸ＫＪ周りに公転を行う。また、この場合であっても、噴出体２０は流れや旋回室１２の内壁（詳しくはガイド部３４）への当接による摩擦力によって、自由に自転することができる。
【００３４】
噴出体２０は、図３に示すように、旋回室１２への流体流入に伴い、ガイド部３４に噴出体本体２２を接触させて、傾斜角度αだけ公転軸ＫＪから傾斜して公転軸ＫＪ周りに首振り公転する。このように噴出体２０が首振り公転を起こすと、この公転運動（回転運動）により回転外側方向に遠心力が発生する。この遠心力は、噴出体本体２２がガイド部３４に常に接触するよう噴出体２０に作用するので、噴出体２０は上記の傾斜角度αで安定して回転、すなわち首振り公転運動を行う。
【００３５】
噴出体２０が首振り公転運動を起こしている間において、噴出体２０は、ガイド部３４への接触による摩擦力を受けるので、自身の噴出体中心軸ＦＪ周りに回転、すなわち自転する。この場合、この自転の回転方向は、噴出体２０がガイド部３４に内接して転がるので、首振り公転および旋回流の回転方向に対して、反対方向の回転となる。本実施例では、このガイド部３４を、摩擦抵抗の大きいゴム等の材質を用いて滑り防止として形成することにしたので、このガイド部３４での噴出体２０の滑りをガイド部周りにほぼ同じように抑制し、噴出体２０に対して摩擦力を生じやすくした。よって、噴出体２０の首振り公転による回転力（摩擦力）をこの噴出体２０の自転を引き起こす力として確実に発生させ、噴出体２０の自転を確実に起こすことができる。
【００３６】
ここで、開口部１９は、噴出体本体２２のこの開口部１９に位置する部位の直径よりも、一定のマージンをもって大きく形成される。開口部１９の径を、噴出体本体２２のこの開口部１９に位置する部位の径と同一に形成しこれを密嵌したのでは、その摩擦力により噴出体２０の自転が妨げられるからである。
【００３７】
そして、噴出体２０が首振り公転運動を起こしている間、傾斜した側では段差部２３がガイド部３４と接触するので、開口部１９下面と噴出体本体２２との間に間隙は生ぜず、開口部１９から流体が漏出することはない。他方その反対側では、段差部２３はガイド部３４と接触しておらず、開口部１９下面と噴出体本体２２との間に間隙が生じ、開口部１９から流体が漏出する。
【００３８】
ところが、噴出体２０は、高速で首振り公転運動を起こしているので、それに伴い、この漏出部位も高速で回転移動する。そのため、図４に示すように、噴出体係止パーツ３５に保護部３６がなければ、流体の飛沫が四方に飛散してしまう。足浴装置のように、流体噴出装置が下肢を覆う本体内に収まっていれば、飛沫も本体から飛び出すこともなく、使用に際して特に支障はないが、シャワーのように流体噴出装置が露出する場合では、使用者が所望する部位意外まで水に濡れてしまい不都合が生じることがあるばかりか、見た目もよくない。
【００３９】
その点、図３に示す流体噴出装置１０のように、保護部３６を備えていれば、係る飛沫の飛散が防止されるとともに、噴出体キャップ２４を保護することも可能となる。勿論、本発明に係る流体噴出装置１０であっても、開口部１９周縁から流体は漏出する。しかしながら、漏出した流体は、保護部３６内に滞留し、保護部３６から溢れ出ることはあっても飛散することはない。むしろ、流体が滞留することにより、さらなる流体の漏出が阻止される。
【００４０】
また、図１に示す場合と異なり、噴出口２６が下方を指向する状態で使用されても、開口部１９周縁から漏出した流体は、噴出口２６から噴出された流体に混じり合って、使用者は漏水を意識することなく使用することができる。
【００４１】
図５に、本発明に係る流体噴出装置をシャワーヘッドに適用した例を示す。
【００４２】
このようなシャワーヘッド４０は、その内蔵する流体噴出装置１０が有する噴出体２０の噴出口２６から流体を吐水する。噴出口２６からの吐水によって、この吐水を浴びる人体表皮や頭皮の各箇所において、流体噴出装置１０が呈するマッサージ効果を発揮することができ、高いマッサージ効果を得ることができる。そして、使用者は、噴出口２６以外から飛散する飛沫に気を取られることなくこのマッサージ効果を楽しむことができる。
【００４３】
なお、本実施例は、シャワーヘッド４０が単一の流体噴出装置を備えるものであるが、複数の流体噴出装置を備える構成としてもよい。また、本実施例では、噴出体係止パーツ３５がシャワーヘッド４０から突設しているが、斯かる構成によれば、噴出体係止パーツ３５が割れたり変形したりしても容易に交換することができる。或いは逆に、噴出体係止パーツ３５をシャワーヘッド４０内に埋設して、シャワーヘッド４０の吐水面をフラットに形成してもよい。
【００４４】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００４５】
【図１】本発明に係る流体噴出装置の一実施形態の縦断面図。
【図２】図１のＡ−Ａ矢視図。
【図３】本実施形態に係る流体噴出装置における構成部品の駆動の様子とこれに伴う流体噴出の様子を説明する図。
【図４】従来の流体噴出装置における構成部品の駆動の様子とこれに伴う流体噴出の様子を説明する図。
【図５】本発明に係る流体噴出装置をシャワーヘッドに適用した例を示す図。
【符号の説明】
【００４６】
１０  流体噴出装置
１１  本体
１２  旋回室
１４  流入路
１６  元流路
１８  旋回室形成パーツ
１９  開口
２０  噴出体
２２  噴出体本体
２３  段差部
２４  噴出体キャップ
２６  噴出口
２８  導入管路
３０  軸方向管路
３２  傾斜管路
３３  面
３４  ガイド部
３５  噴出体係止パーツ
３６  保護部
４０  シャワーヘッド
【図１】
2007054737.tif 000003
【図２】
2007054737.tif 000004
【図３】
2007054737.tif 000005
【図４】
2007054737.tif 000006
【図５】
2007054737.tif 000007